(57)【要約】【課題】光ファイバケーブルの外径を小さくする主因であるリブの厚さの最適設計に、溝深さのパラメータを求めて当パラメータを考慮に入れた光ファイバケーブルを提供する。【解決手段】溝深さをｈ複数個の光ファイバテープ心線収納溝の溝底隔間の各リブ厚さをｂ、そして溝深さのケーブル許容変形量を表わされる溝深さのクリアランスをＬとして、Ｌが固定された設定値とされ、かつｈが１．８ｍｍから４．５ｍｍ未満範囲の固定値に設定された時に、ｂはｈにたいして、ｂ＞または＝Ａｈ3／（Ｌ−Ｂ）であって、ここでＡ、Ｂは定数とされて、０．９５ｍｍ以内とされる領域内の値に０が設定される。【選択図】図９
2010191085.tif 000002
【特許請求の範囲】
【請求項１】
円径状のケーブルコアの周囲に中心方向に向けた複数個の光ファイバテープ心線収納溝が設けられ、光ファイバテープ心線がそれぞれの光ファイバテープ心線収納溝に収納され、該光ファイバテープ心線収納溝の溝底端間にリブが形成される光ファイバケーブルにおいて、
複数個の光ファイバテープ心線収納溝は、少なくとも１個の浅い光ファイバテープ心線収納溝を含んで、もしくは含まないで構成され、当該浅い光ファイバテープ心線収納溝を外いて同形、同一溝深さに形成され、これらの溝深さをｈ、複数個の光ファイバテープ心線収納溝の溝底隅間の各リブ厚さをｂ、そして溝深さのケーブル許容変形量で表わされる溝深さのクリアランスをＬとして、Ｌが固定された設定値とされ、かつ
ｈ＝Ｌ＋Ｎ・ｔ
であって、ここでＮは同一溝深さの光ファイバテープ心線収納溝に収納される光ファイバ心線の枚数で５〜１０の範囲にある固定値、ｔは当該溝に収納する光ファイバ心線の厚さｍｍで０．２６〜０．３０の範囲内における固定値とされ、
ｈが１．８から４．５ｍｍ未満範囲の固定値に設定された時に、
ｂはｈに対して、
ｂ＞または＝Ａｈ３／（Ｌ−Ｂ）
であって、ここでＡ，Ｂは定数とされて、０．９５ｍｍ以内とされる領域内の値に設定されること
を特徴とする光ファイバケーブル。
【請求項２】
円径状のケーブルコアの周囲に中心方向に向けた複数個の光ファイバテープ心線収納溝が設けられ、光ファイバテープ心線がそれぞれの光ファイバテープ心線収納溝に収納され、該光ファイバテープ心線収納溝の溝底端間にリブが形成される光ファイバケーブルにおいて、
複数個の光ファイバテープ心線収納溝は、少なくとも１個の浅い光ファイバテープ心線収納溝を含んで、もしくは含まないで構成され、当該浅い光ファイバテープ心線収納溝を外いて同形、同一溝深さに形成され、これらの溝深さをｈ、複数個の光ファイバテープ心線収納溝の溝底隅間の各リブ厚さをｂ、そして溝深さのケーブル許容変形量で表わされる溝深さのクリアランスをＬとして、Ｌが固定された設定値とされ、かつ
ｈ＝Ｌ＋Ｎ・ｔ
であって、ここでＮは同一溝深さの光ファイバテープ心線収納溝に収納される光ファイバ心線の枚数で５〜１０の範囲にある固定値、ｔは当該溝に収納する光ファイバ心線の厚さｍｍで０．２６〜０．３０の範囲内における固定値とされ、
ｈが１．８から４．０ｍｍ未満範囲の固定値に設定された時に、
ｂはｈに対して、
ｂ＞または＝Ａｈ３／（Ｌ−Ｂ）
であって、ここでＡ，Ｂは定数とされて、０．８５ｍｍ以内とされる領域内の値に設定されること
を特徴とする光ファイバケーブル。
【請求項３】
円径状のケーブルコアの周囲に中心方向に向けた複数個の光ファイバテープ心線収納溝が設けられ、光ファイバテープ心線がそれぞれの光ファイバテープ心線収納溝に収納され、該光ファイバテープ心線収納溝の溝底端間にリブが形成される光ファイバケーブルにおいて、
複数個の光ファイバテープ心線収納溝は、少なくとも１個の浅い光ファイバテープ心線収納溝を含んで、もしくは含まないで構成され、当該浅い光ファイバテープ心線収納溝を外いて同形、同一溝深さに形成され、これらの溝深さをｈ、複数個の光ファイバテープ心線収納溝の溝底隅間の各リブ厚さをｂ、そして溝深さのケーブル許容変形量で表わされる溝深さのクリアランスをＬとして、
ｈ＝Ｌ＋Ｎ・ｔ
であって、ここでＮは同一溝深さの光ファイバテープ心線収納溝に収納される光ファイバ心線の枚数で５〜１０の範囲にある固定値、ｔは当該溝に収納する光ファイバ心線の厚さｍｍで０．２６〜０．３０の範囲内における固定値とされ、
ｈが１．８から４．５ｍｍ未満範囲の固定値に設定され、かつ
ｂが
ｂ＞または＝Ａｈ３／（Ｌ−Ｂ）
であって、（ここでＢは定数）０．９５ｍｍ以内の固定値とされるときに、
Ｌ＜または＝Ａ・（ｈ３／ｂ）＋Ｂ
で求める領域内の値に設定されること
を特徴とする光ファイバケーブル。
【請求項４】
円径状のケーブルコアの周囲に中心方向に向けた複数個の光ファイバテープ心線収納溝が設けられ、光ファイバテープ心線がそれぞれの光ファイバテープ心線収納溝に収納され、該光ファイバテープ心線収納溝の溝底端間にリブが形成される光ファイバケーブルにおいて、
複数個の光ファイバテープ心線収納溝は、少なくとも１個の浅い光ファイバテープ心線収納溝を含んで、もしくは含まないで構成され、当該浅い光ファイバテープ心線収納溝を外いて同形、同一溝深さに形成され、これらの溝深さをｈ、複数個の光ファイバテープ心線収納溝の溝底隅間の各リブ厚さをｂ、そして溝深さのケーブル許容変形量で表わされる溝深さのクリアランスをＬとして、
ｈ＝Ｌ＋Ｎ・ｔ
であって、ここでＮは同一溝深さの光ファイバテープ心線収納溝に収納される光ファイバ心線の枚数で５〜１０の範囲にある固定値、ｔは当該溝に収納する光ファイバ心線の厚さｍｍで０．２６〜０．３０の範囲内における固定値とされ、
ｈが１．８から４．０ｍｍ未満範囲の固定値に設定され、かつ
ｂが
ｂ＞または＝Ａｈ３／（Ｌ−Ｂ）
であって、（ここでＢは定数）０．８５ｍｍ以内の固定値とされるときに、
Ｌ＜または＝Ａ・（ｈ３／ｂ）＋Ｂ
で求める領域内の値に設定されること
を特徴とする光ファイバケーブル。
【発明の詳細な説明】
【技術分野】
【０００１】
本発明は、光ファイバケーブルに関する。
【背景技術】
【０００２】
光ファイバケーブルの外径を小さくすることが求められている。
【０００３】
特許文献１には、中空パイプの外周面に金属と樹脂とをラミベート加工した金属ラミネートテープを用いて光ファイバケーブルの外径を小さくすることが提案されている。
【０００４】
特許文献２には、複数本の光ファイバからなる心線を２列以上並列に積層してスペーサの溝内に収納することによって光ファイバケーブルの外径を小さくすることが提案されている。
【０００５】
特許文献３には、ケーブルコアの断面を囲う円Ｃが最小径の円になるようにして、光ファイバ心線に対する光ファイバケーブルの外径を小さくすることが提案されている。
【先行技術文献】
【特許文献】
【０００６】
【特許文献１】特開２００４−３１７５８６号公報
【特許文献２】特開平１０−１２３３８１号公報
【特許文献３】特開２００２−３４１２０１号公報
【発明の概要】
【発明が解決しようとする課題】
【０００７】
上述のように、光ファイバケーブルの外径を小さくするためにケーブルコアを小型化するための種々の提案がなされて来た。
【０００８】
また、従来、側圧加重によるケーブル変形量がリブの厚さに直接的な関係があるとしてケーブル変形量が大きいと想定される場合に大きなリブの厚さを採用する設計思想が適用されて来た。
【０００９】
本出願の発明者等の実験によれば、各スロットで比較すると外径が大きい方がリブが倒れ易いという結果が得られ、リブが厚い方が側圧に弱いという結果が得られた。この結果は、リブの厚さ＝側圧保持特性という従来の考え方は再検討されるべきで、リブの厚さの最適設計には、溝深さのパラメータも考慮に入れることが必要であることが判った。
【００１０】
本発明は、かかる点に鑑みて光ファイバケーブルの外径を小さくする主因であるリブの厚さの最適設計に、溝深さのパラメータを求めて当パラメータを考慮に入れた光ファイバケーブルを提供することを目的とする。
【００１１】
また、本発明は、光ファイバケーブルの外径を小さくするためにリブの厚さおよび溝深さとの関係を考慮に入れてケーブル許容変形量である溝深さクリアランスを最適化した光ファイバケーブルを提供することを目的とする。
【課題を解決するための手段】
【００１２】
本発明は、円径状のケーブルコアの周囲に中心方向に向けた複数個の光ファイバテープ心線収納溝が設けられ、光ファイバテープ心線がそれぞれの光ファイバテープ心線収納溝に収納され、該光ファイバテープ心線収納溝の溝底端間にリブが形成される光ファイバケーブルにおいて、
複数個の光ファイバテープ心線収納溝は、少なくとも１個の浅い光ファイバテープ心線収納溝を含んで、もしくは含まないで構成され、当該浅い光ファイバテープ心線収納溝を外いて同形、同一溝深さに形成され、これらの溝深さをｈ、複数個の光ファイバテープ心線収納溝の溝底隅間の各リブ厚さをｂ、そして溝深さのケーブル許容変形量で表わされる溝深さのクリアランスをＬとして、Ｌが固定された設定値とされ、かつ
ｈ＝Ｌ＋Ｎ・ｔ
であって、ここでＮは同一溝深さの光ファイバテープ心線収納溝に収納される光ファイバ心線の枚数で５〜１０の範囲にある固定値、ｔは当該溝に収納する光ファイバ心線の厚さｍｍで０．２６〜０．３０の範囲内における固定値とされ、
ｈが１．８から４．５ｍｍ未満範囲の固定値に設定された時に、
ｂはｈに対して、
ｂ＞または＝Ａｈ３／（Ｌ−Ｂ）
であって、ここでＡ，Ｂは定数とされて、０．９５ｍｍ以内とされる領域内の値に設定されること
を特徴とする光ファイバケーブルを提供する。
【００１３】
本発明は、円径状のケーブルコアの周囲に中心方向に向けた複数個の光ファイバテープ心線収納溝が設けられ、光ファイバテープ心線がそれぞれの光ファイバテープ心線収納溝に収納され、該光ファイバテープ心線収納溝の溝底端間にリブが形成される光ファイバケーブルにおいて、
複数個の光ファイバテープ心線収納溝は、少なくとも１個の浅い光ファイバテープ心線収納溝を含んで、もしくは含まないで構成され、当該浅い光ファイバテープ心線収納溝を外いて同形、同一溝深さに形成され、これらの溝深さをｈ、複数個の光ファイバテープ心線収納溝の溝底隅間の各リブ厚さをｂ、そして溝深さのケーブル許容変形量で表わされる溝深さのクリアランスをＬとして、Ｌが固定された設定値とされ、かつ
ｈ＝Ｌ＋Ｎ・ｔ
であって、ここでＮは同一溝深さの光ファイバテープ心線収納溝に収納される光ファイバ心線の枚数で５〜１０の範囲にある固定値、ｔは当該溝に収納する光ファイバ心線の厚さｍｍで０．２６〜０．３０の範囲内における固定値とされ、
ｈが１．８から４．０ｍｍ未満範囲の固定値に設定された時に、
ｂはｈに対して、
ｂ＞または＝Ａｈ３／（Ｌ−Ｂ）
であって、ここでＡ，Ｂは定数とされて、０．８５ｍｍ以内とされる領域内の値に設定されること
を特徴とする光ファイバケーブルを提供する。
【００１４】
本発明は、円径状のケーブルコアの周囲に中心方向に向けた複数個の光ファイバテープ心線収納溝が設けられ、光ファイバテープ心線がそれぞれの光ファイバテープ心線収納溝に収納され、該光ファイバテープ心線収納溝の溝底端間にリブが形成される光ファイバケーブルにおいて、
複数個の光ファイバテープ心線収納溝は、少なくとも１個の浅い光ファイバテープ心線収納溝を含んで、もしくは含まないで構成され、当該浅い光ファイバテープ心線収納溝を外いて同形、同一溝深さに形成され、これらの溝深さをｈ、複数個の光ファイバテープ心線収納溝の溝底隅間の各リブ厚さをｂ、そして溝深さのケーブル許容変形量で表わされる溝深さのクリアランスをＬとして、
ｈ＝Ｌ＋Ｎ・ｔ
であって、ここでＮは同一溝深さの光ファイバテープ心線収納溝に収納される光ファイバ心線の枚数で５〜１０の範囲にある固定値、ｔは当該溝に収納する光ファイバ心線の厚さｍｍで０．２６〜０．３０の範囲内における固定値とされ、
ｈが１．８から４．５ｍｍ未満範囲の固定値に設定され、かつ
ｂが
ｂ＞または＝Ａｈ３／（Ｌ−Ｂ）
であって、（ここでＢは定数）０．９５ｍｍ以内の固定値とされるときに、
Ｌ＜または＝Ａ・（ｈ３／ｂ）＋Ｂ
で求める領域内の値に設定されること
を特徴とする光ファイバケーブルを提供する。
【００１５】
本発明は、円径状のケーブルコアの周囲に中心方向に向けた複数個の光ファイバテープ心線収納溝が設けられ、光ファイバテープ心線がそれぞれの光ファイバテープ心線収納溝に収納され、該光ファイバテープ心線収納溝の溝底端間にリブが形成される光ファイバケーブルにおいて、
複数個の光ファイバテープ心線収納溝は、少なくとも１個の浅い光ファイバテープ心線収納溝を含んで、もしくは含まないで構成され、当該浅い光ファイバテープ心線収納溝を外いて同形、同一溝深さに形成され、これらの溝深さをｈ、複数個の光ファイバテープ心線収納溝の溝底隅間の各リブ厚さをｂ、そして溝深さのケーブル許容変形量で表わされる溝深さのクリアランスをＬとして、
ｈ＝Ｌ＋Ｎ・ｔ
であって、ここでＮは同一溝深さの光ファイバテープ心線収納溝に収納される光ファイバ心線の枚数で５〜１０の範囲にある固定値、ｔは当該溝に収納する光ファイバ心線の厚さｍｍで０．２６〜０．３０の範囲内における固定値とされ、
ｈが１．８から４．０ｍｍ未満範囲の固定値に設定され、かつ
ｂが
ｂ＞または＝Ａｈ３／（Ｌ−Ｂ）
であって、（ここでＢは定数）０．８５ｍｍ以内の固定値とされるときに、
Ｌ＜または＝Ａ・（ｈ３／ｂ）＋Ｂ
で求める領域内の値に設定されること
を特徴とする光ファイバケーブルを提供する。
【発明の効果】
【００１６】
本発明によれば、従来の光ファイバケーブルの設計では採用されていないｈを１．８から４.５ｍｍ望ましくは１．８から４．０ｍｍ以内の範囲の固定値に設定し、今回求められたｂとｈとの関係、すなわちｂは、ｈにＡｈ３／（Ｌ−Ｂ）の式で表わされる関係式を用いて、この曲線で表わされる曲線上、もしくは曲線上の上側であって、０．９５ｍｍ、望ましくは０．８５ｍｍ以内に設定することができる。この値の採用によってケーブル外径を２２．０ｍｍから２５．０ｍｍという小径にすることができる。上述の例はＬが固定された設定値とされた場合であるが、反対にｂおよびｈが上述の関係で固定されたような場合には、上述した関係でＬの値を設定した光ファイバケーブルを設計することができ、同様にケーブル外径を小径にすることができる。
【図面の簡単な説明】
【００１７】
【図１】光ファイバケーブルの断面を示す図で図１（ａ）は１つの浅い収納溝を備えた例の断面を示す図、図１（ｂ）はすべて深い収納溝で形成した例の断面を示す図。
【図２】収納溝の各部の定義を示す図。
【図３】溝深さｈの定義について他の例を示す図。
【図４】ケーブル外径の計算支援装置の構成を示す図。
【図５】側圧加重を加えたことによるケーブルコアの変形の状況を示す図。
【図６】実験結果を示す図。
【図７】同一の光ファイバケーブルについてのリブ厚さと単位加重当たりの変形量を示す図。
【図８】光ファイバ変形量とｈ3／ｂとの関係を示す図。
【図９】溝深さとの許容最小リブ厚さとの関係を示す図。
【図１０】図１（ａ）の変形例の断面を示す図。
【図１１】図１（ａ）の変形例の断面を示す図。
【図１２】図１（ｂ）の変形例の断面を示す図。
【図１３】図１（ｂ）の変形例の断面を示す図。
【図１４】図１０の変形例を示す図。
【発明を実施するための形態】
【００１８】
以下、本発明の実施例を図面に基づいて説明する。
【実施例】
【００１９】
図１は、スペーサ型の光ファイバケーブル１００の断面を示す。
図１において、光ファイバケーブル１００はケーブルコアとなる円径状のスペーサ１の中央部にテンションメンバ２が配置され、リブ１０に中心方向に向けて光ファイバテープ心線収納溝３（以下、収納溝という）が等間隔で設けられ、光ファイバテープ心線４がそれぞれの収納溝３内に収納され、ケーブルコアの周囲に押え巻５が巻かれ、その外側に外皮（外被）となるシース６を設けて構成される。図１には１３個の収納溝を形成した例を示してある。
【００２０】
図１（ａ）には、１３個の収納溝３の内、１２個の収納溝３Ａについては同一形状、同一溝深さの深溝の収納溝とされ、１個のみが浅い収納溝３Ｂとされ、この浅い収納溝３Bには、１２個の深溝の収納溝３Ａに収納される光ファイバ心線４Ａの数に比べて小さい数の光ファイバ心線４Ｂが収納されるものとしている。このような光ファイバケーブルは浅い溝の収納溝を備えているために、通常、１２．５溝と呼ばれる。図１（ｂ）は、１３個の深溝の収納溝が同一溝深さで形成された例を示している。
【００２１】
図１（ａ）に示す本実施例は、１個の浅い収納溝３Ｂを含んで、浅い収納溝を除いて他の複数個の収納溝が同一形状、同一溝深さで形成される光ファイバケーブルとこの浅い収納溝３Ｂを含まず、複数個の収納溝が同一形状、同一溝深さで形成される光ファイバを含む。いずれの場合にあっても後述するようにリブ底間のリブ間隔は同じ長さｂを備える。従って、全体的に見て、円径状のテーブルコアの周囲に中心方向に向けて複数個の収納溝３が等間隔で設けられた形状をなす。以下、図１（ａ）に示す形状のものを例にとって説明するが、本発明はこの例あるいは図１（ｂ）に示す例に限定せずに適用可能である。
【００２２】
図２は、図１に示す光ファイバケーブル１００（図２（ａ））について、Ａ部拡大（図２（ｂ））およびＢ部拡大（図２（ｃ））を示す。図２（ｂ）において、収納溝３Ａの溝深さはｈで示され、溝深さのケーブル許容変形量で表わされる溝深さのクリアランスはＬで示され、収納溝４Ａ内に収納される光ファイバテープの枚数はＮで示され、収納溝の底部隅間の間隔、すなわちリブ１０の最小間隔がｂで示される。図２（ｂ）に示すように、深い収納溝間に浅い収納溝が設けられるよう場合には、浅い溝の溝底隅から隣りの深い溝までの最短幅がリブ厚さｂで示される。
【００２３】
図２（ｂ）に示す例では、溝底部においてリブ１０が最肉薄となる場合を示した。図３に示すように、リブ１０の最肉薄部がリブ１０の高さ途中である場合がある。このような場合には、本実施例の溝深さｈは最肉薄部の位置から溝トップまでの高さとなる。このように、ｈは溝底から溝トップまでの高さＨではない。
【００２４】
本実施例で、溝深さｈは、複数個の光ファイバ心線の大部分あるいは全部を占める上述の例で深い溝の収納溝の溝深さを示し、クリアランスＬはこれらの溝についてのクリアランスを示し、リブ厚さは上述の例で深い収納溝の底部隅間の間隔および浅い溝の溝底隅から隣りの収納溝までの最短幅を示す。
【００２５】
クリアランスＬは、Ｌ＝ｈ−Ｎ・ｔ（またはｈ＝Ｌ＋Ｎ・ｔ）で表わされる。ここで、本実施例では、Ｎは深い溝深さの収納溝に収納される光ファイバテープ心線４の枚数、ｔは光ファイバテープ心線４の厚さを示す。
【００２６】
更に本実施例では、Ｎは５〜１０の範囲内の枚数、またｔは０．２６〜０．３０の範囲内にある数値に設定される。
【００２７】
そして、ケーブル許容変形量は光ケーブル１に側圧を掛けた場合に変形（つぶれる）量は、溝深さのクリアランス分だけ許容された量として定義される。
【００２８】
図４はケーブル外径の計算支援装置２００をブロックで示す図である。
図４において、ケーブルの外径の計算支援装置２００は演算装置１１と格納装置（記憶装置）１２から構成され、演算装置１１は入力手段１３、演算手段１４および出力手段１５を備える。
【００２９】
入力手段１３はケーブルコア（スペーサ１）を構成する材料（樹脂）およびケーブル許容変形量０もしくは溝深さｈおよびリブ厚さｂを入力することができる。
【００３０】
演算手段１４はケーブルコアを構成する試料毎に形成された算定式を選定する手段２１および演算処理手段２２を備え、演算処理手段２２は後述するようにして求められた次の式に基づく演算処理を行うことができる。
2010191085.tif 000003
３）ｂまたはＬの範囲
ＡおよびＢは材料（樹脂）ごとに定まる定数であり、ケーブル外径の計算支援装置２００はリブの厚さｂあるいは／および溝深さのクリアランスＬの計算支援装置である。
【００３１】
以下、これらの式が有する技術的意味について説明する。
発明者等は１２．５溝を例にとって機械特性を調べた。機械特性を図５（ａ）に示す光ファイバ構成について図５（ｂ）に示すように側圧加重を加えることによって調べた。図５（ａ）に溝深さｈとリブの厚さｂとを示し、図５（ｂ）に側圧荷重を加えたことによるケーブルコアの変形の状況を示す。
【００３２】
図５（ｂ）に示すように、ケーブルコアにシース被覆したケーブルに上下方向から側圧荷重を加えるとケーブルコアは変形する。変形量は上下にそれぞれ発生する。従って、トータルの変形量は片側の変形量の２倍となる。側圧荷重は押え巻５が光ファイバケーブル心線４の上端面に接触するまで加えるので、片側の変形量は溝深さクリアランスＬに実質的に等しくなる。従って、ここでは溝深さクリアランスＬをケーブル許容変形量を指す。ケーブル許容変形量を溝深さのクリアランスＬ以内に設定することが出来るがＬ以上に大きくすることは理論的に光伝達のロスが反応し始めるので、許されず、ここでは溝深さのケーブル許容変形量で表わされる溝深さのクリアランスＬとすることができる。
【００３３】
側圧加重に対する変形量を調べるためにスペーサ１が高密度熱可塑樹脂で形成された光ファイバケーブルが４種選定された。
【００３４】
図６にその実験結果を示す。Ｎｏ．１〜Ｎｏ．４は選定された４種の光ファイバケーブルを示す。図６はＸ軸に側圧加重Ｎ〔Ｎ／１００ｍｍ〕を示し、Ｙ軸にケーブル変形量（ｍｍ）を示す。それぞれのスペーサの外径が図６に示される。ケーブル外径はテープやシース被覆をしているので、ケーブル外径とスペーサ外径の関係に１：１の比例関係になる。各線について〇印を付している。〇印が付された点が変形量がクリアランスＬに達して理論的にロスが反応し始めた点である。図６によれば、ケーブル変形量が大きい程リブが倒れやすく、小さいほどリブが倒れにくいことが示される。
【００３５】
図６に示す側圧加重とケーブル変形量との関係において、各スロットで比較すると外径が大きい方がリブが倒れ易いことが示される。
【００３６】
図７に同一の光ファイバケーブルについてのリブ厚さと単位加重当たりの変形量を示す。Ｘ軸はリブの厚さｂを示し、Ｙ軸はケーブル変形量を示す。
【００３７】
図７に示すリブ厚さと単位加重当たりのケーブル変形量について図に示すように１つの直線を引くことができ、これによればリブが厚い方が側圧に弱いという結果が得られた。この結果は、リブ厚さ＝側圧特性という従来の考え方は再検討されるべきことを示し、リブ厚さの最適設計には、溝深さのパラメータも考慮しなければならないことを示している。すなわち、図６において、各スロットのロスが増加し始める側圧加重は、図中に〇印で示したが、理論的にロスが増加し始める変形量は溝のクリアランスＬ×２となる。従って、良好な側圧特定を得るためには、クリアランスＬを大きくするか、倒れ難いリブ厚さと溝深さを最適化するということの関係を究明することが求められる。ここで、クリアランスＬを所定量としてリブ厚さと溝深さパラメータとの関係について究明することとする。
【００３８】
図８は、光ファイバ変形量とｈ３／ｂとの関係を示す。Ｘ軸にｈ３／ｂを示し、Ｙ軸に光ケーブル変形量をとり、４種の光ファイバケーブルについてプロットとし、これらのプロット近傍を通って１つの直線が描ける。これによれば、光ケーブル変形量はｈ３／ｂに比例関係にあることが判った。この結果によれば、光ケーブル変形量は図８に示すリブの厚さと溝深さの式に比例する。変形量をｙで示すと、図８に示す直線は、
ｙ＝Ａ´Ｘ＋Ｂ´  …（１）
で表わされる。Ａ´とＢ´は定数である。
【００３９】
変形量を算定するのに、溝深さｈは３乗で効いてくるので、溝深さの影響に比べるとリブの厚さｂはケーブルの側圧強度に対して影響が少ない。このことから溝深さｈを小さく設定することによって、リブの厚さｂを従来の考え方に比べて小さく設計し得ることが判る。これらの関係から最小限のリブの厚さｂを算出することができる。
【００４０】
解析によれば、光ファイバ変形量ｙを溝深さのクリアランスＬに一致する設計にすると（１）式は次のようになる。
2010191085.tif 000004
（１）式を変形すると
2010191085.tif 000005
となる。
【００４１】
ファイバ種類によって必要な溝深さクリアランスＬがある。従って、溝深さクリアランスＬを設定すれば最小リブ厚が算出される。
【００４２】
図９は、溝深さｈと許容最小リブ厚ｂとの関係を示す。Ｘ軸は溝深さｈを示し、Ｙ軸は最小リブ厚ｂを示す。この線図によれば、４種の光ファイバケーブルの溝深さにおいて、上記線の上側の値をとっている（図９の曲線の上に位置している）ため、最小リブ厚ｂを十分満足する。これらの例の場合、リブの厚さを図９の曲線に近づけることで、
さらなる、ケーブル外径の細径化が図られる。
【００４３】
図９から溝深さｈとして、４．５ｍｍ最小から更に短くしてもｈ３との関係でリブの厚さｂを設定してリブ厚ｂを画期的に小さくし、引いては光ファイバケーブルの外径を小さくすることができる好ましい範囲として設定することができることが判る。
【００４４】
発明者等の実験によれば、溝深さ１．８〜４．５ｍｍ以下（４．５ｍｍ未満）の範囲において上述の曲線特性から画期的な効果を得ることが出来ることが判った。これによって、ケーブル外形を小形化することに有効であることが判る。
【００４５】
図９において、ｈ＝Ｌ＋Ｎ・ｔであって、ここでＮは同一溝深さの光ファイバテープ心線収納溝に収納される光ファイバ心線の枚数で５〜１０の範囲にある固定値、又は当該溝に収納する光ファイバ心線の厚さｍｍで０.２６〜０．３０の範囲内における固定値とする光ファイバケーブルにおいて、ケーブル外形を小型化するに画期的に効果のある範囲は領域Ｐで表わされる。この領域Ｐは、溝深さをｈ複数個の光ファイバテープ心線収納溝の溝底隔間の各リブ厚さをｂ、そして溝深さケーブル許容変形量で表わされる溝深さのクリアランスをＬとして、
Ｌが固定された設定値とされ、かつ
ｈが１.８から４．５ｍｍ、望ましくは１．８ｍｍから４．０ｍｍ未満範囲の固定値に設定された時に、
ｂはｈに対して、
ｂ＞または＝Ａｈ3／（Ｌ−Ｂ）
の範囲にあって、ここでＡ,Ｂは定数とされて、０.９５ｍｍ、望ましくは０．８５ｍｍ以内とされて設定される領域である。
従って、ｂはこのＰ領域内の値で設定される、
そして、望ましくは
ｂ＝Ａｈ3／（Ｌ−Ｂ）
の線上の近傍に設定するのがよい。
【００４６】
また、この領域Ｐは、溝深さをｈ、複数個の光ファイバテープ心線収納溝の溝底隔間の各リブ厚さをｂ、そして溝深さのケーブル許容変形量で表わされる溝深さのクリアランスをＬとしてｈが１.８から４．５ｍｍ、望ましくは１．８ｍｍから４．０ｍｍ未満範囲の固定値に設定され、かつｂが
ｂ＞または＝Ａｈ3／（Ｌ−Ｂ）
であって、（ここでＡ、Ｂは定数）０.９５ｍｍ、望ましくは０．８５ｍｍ以内とされる領域内にある固定値に設定された時に、
Ｌ＜または＝Ａ・（ｈ3／ｂ）＋Ｂ
で求める値に設定される領域である。従って、ＬはこのＰ領域内の値で設定される。そして望ましいこの式上の近傍に設定されるのがよい。採用される設定値は予め定めたルールに従って図４に示す演算手段によって決定すればよい。
【００４７】
上述した式において、１つの高密度熱可塑性材料において、Ａ＝０.０２６５,Ｂ＝０.７２１５が採用される。こえらの値は、他の高密度熱可塑性材料，中密度熱可塑性材料，
低密度熱可塑性材料についてそれぞれ実験に基づいて設定されればよい。
【００４８】
ちなみに、図９に示す線上の値は、溝深さが１．８ｍｍのとき、リブ厚さは０．６ｍｍ，溝深さが３．０ｍｍのとき、リブ厚さは０．７ｍｍ，溝深さが３．５ｍｍのときリブ厚さが０．７３ｍｍ，溝深さが４．０ｍｍのときリブ厚さが０．８６ｍｍ、溝深さが４．５ｍｍのときリブ厚さが０．９５ｍｍ、望ましくは４．０ｍｍのとき、リブ厚さが０．８５ｍｍ近辺の値をとる。リブ厚さは、上述のＰ領域で、図９に示す線上近辺に設定されるのが望ましい。溝深さおよびリブ厚さが設定されたときには、同様にしてクリアランスの値が設定されることになる。これらの値は従来例に比べて充分に小さな値となる。
【００４９】
図１０から図１４は、図１に示す実施例の変形例を示し、本発明はこれらの変形例についても適用できることを示す。図１０は図１（ａ）に示す実施例の変形例を示す。図１（ａ）に示す例にあっては、収納溝の内、１個のみ（収納溝３Ｂ）が浅い収納溝とされた。これに対しては、図１０に示す例では、浅い収納溝３Ｂと深い収納溝とは同じ数としたスペーサ１を示す。この例では収納溝を浅い収納溝３Ｂと深い収納溝３Ａとのトータル１０個としているが、他のトータル数であってもよい。従って、この例では、浅い収納溝３Ｂと深い収納溝３Ａとが各ペア（計５ペア）を構成する構成上の特徴を有する。
【００５０】
図１１は、図１０に示す例と同様であって、計１０ペアを構成した例を示す。
【００５１】
図１２は、図１（ｂ）に示す実施例の変形例を示す。図１（ｂ）に示す例にあっては、１３個の深い収納溝３で形成されていたが、図１２に示す例にあっては１２個の深い収納溝３のみで形成される。他の個数であってもよい。図１３も、図１（ｂ）の変形例を示し、２５個の深い収納溝３のみで形成される。
【００５２】
図１４は、図１０に示す実施例の変形例、すなわち図１（ａ）の更なる変形例を示す。図１０に示す例にあっては、図１（ａ）に示すと同様に各収納溝の溝幅は同一のものであったが、図１４の例では深い収納溝４Ａの溝幅は浅い収納溝４Ｂの溝幅よりも大きなものとして形成してある。
【符号の説明】
【００５３】
１…スペーサ，２…テンションメンバ，３…光ファイバテープ心線収納溝（収納溝），３Ａ…深溝の収納溝，３Ｂ…浅溝の収納溝，４…光ファイバテープ心線，４Ａ…深溝の収納溝に収納された光ファイバテープ心線，４Ｂ…浅溝の収納溝に収納された光ファイバテープ心線，１０…リブ，１００…光ファイバケーブル。
【図１】
2010191085.tif 000006
【図２】
2010191085.tif 000007
【図３】
2010191085.tif 000008
【図４】
2010191085.tif 000009
【図５】
2010191085.tif 000010
【図６】
2010191085.tif 000011
【図７】
2010191085.tif 000012
【図８】
2010191085.tif 000013
【図９】
2010191085.tif 000014
【図１０】
2010191085.tif 000015
【図１１】
2010191085.tif 000016
【図１２】
2010191085.tif 000017
【図１３】
2010191085.tif 000018
【図１４】
2010191085.tif 000019